(57)【要約】情報生成方法及び装置、情報取得方法及び装置、情報処理方法及び装置、並びに決済方法及びクライアントに関する。情報生成方法は、第１のユーザにより入力された情報生成命令であって少なくとも２つのユーザ識別情報を含む情報生成命令を受信するステップと、この少なくとも２つのユーザ識別情報を所定の方法で組み合わせて連続テキスト情報を入手するステップとを含み、連続テキスト情報中の少なくとも２つのユーザ識別情報は分離文字列によって分離され、分離文字列は予め定義された文字又は文字の組み合わせであり、所定のアルゴリズムと連続テキスト情報とに基づいて、ターゲット情報を生成するステップとをさらに含む。これゆえ、ターゲット情報は少なくとも２つのユーザ識別情報を含むことができる。これにより、ターゲット情報を認識してユーザ識別情報を入手するときの少なくとも２つのユーザ識別情報を入手する効率を向上させることができ、少なくとも２つのユーザ識別情報にサービスオペレーションを実行する効率が向上する。【選択図】図１
2018536939.tif 000002
【特許請求の範囲】
【請求項１】
第１のユーザにより入力された情報生成命令であって少なくとも２つのユーザ識別情報を含む情報生成命令を受信するステップと；
前記少なくとも２つのユーザ識別情報を所定の方法で組み合わせて連続テキスト情報を入手するステップとを備え、
前記連続テキスト情報中の前記少なくとも２つのユーザ識別情報は分離文字列によって分離され、前記分離文字列は予め定義された文字又は文字の組み合わせであり：
所定のアルゴリズムと前記連続テキスト情報とに基づいて、ターゲット情報を生成するステップと；をさらに備える、
情報生成方法。
【請求項２】
前記少なくとも２つのユーザ識別情報を所定の方法で組み合わせて連続テキスト情報を入手する前記ステップは：
前記少なくとも２つのユーザ識別情報を所定の分類規則に基づいて分類するステップと；
前記分類された少なくとも２つのユーザ識別情報を前記所定の方法で組み合わせて前記連続テキスト情報を入手するステップと；を有する、
請求項１に記載の情報生成方法。
【請求項３】
前記ターゲット情報は画像情報又は音声情報を含む、
請求項１又は請求項２に記載の情報生成方法。
【請求項４】
予め生成されたターゲット情報を認識して、予め定義された文字又は文字の組み合わせである分離文字列によって分離された少なくとも２つのユーザ識別情報を含む連続テキスト情報を入手するステップと；
前記連続テキスト情報を解析して前記少なくとも２つのユーザ識別情報を入手するステップと；を備える、
情報取得方法。
【請求項５】
前記連続テキスト情報を解析して前記少なくとも２つのユーザ識別情報を入手する前記ステップは：
前記連続テキスト情報から前記分離文字列を除去するステップであり、前記分離文字列の除去後に得られる前記連続テキスト情報は少なくとも２つのサブテキスト情報を含み；
前記少なくとも２つのサブテキスト情報を、前記少なくとも２つのユーザ識別情報として用いるステップと；を有する、
請求項４に記載の情報取得方法。
【請求項６】
予め生成されたターゲット情報を認識して連続テキスト情報を入手するステップと；
少なくとも２つのユーザ識別情報を入手するためにサーバが前記連続テキスト情報を解析できるように、前記サーバへ前記連続テキスト情報を送信するステップと；
前記サーバから送信された前記少なくとも２つのユーザ識別情報を受信し、前記少なくとも２つのユーザ識別情報を表示するステップと；
第２のユーザにより入力された情報に基づいて、対応する操作を前記少なくとも２つのユーザ識別情報に実行するステップと：を備える、
情報処理方法。
【請求項７】
予め生成されたターゲット情報を認識して連続テキスト情報を入手するステップと；
少なくとも２つのアカウント情報を入手するために決済サーバが前記連続テキスト情報を解析できるように、前記連続テキスト情報を前記決済サーバへ送信するステップと；
前記決済サーバから送信された前記少なくとも２つのアカウント情報を受信し、前記少なくとも２つのアカウント情報を表示するステップと；
決済者により入力された情報に基づいて、各々の前記アカウント情報に対応した決済金額を判定するステップと；
各々の前記アカウント情報に対応した前記決済金額に基づいて、決済操作を実行するステップと；を備える、
決済方法。
【請求項８】
前記決済者が入力した前記情報は、１つのアカウント情報に対応した第１の決済金額、及び、別のアカウント情報に対応した第２の決済金額の前記第１の決済金額に対する比；又は、各々の前記アカウント情報に対応した決済金額；を含む、
請求項７に記載の決済方法。
【請求項９】
受信ユニットと、組み合わせユニットと、生成ユニットとを備え、
前記受信ユニットは、第１のユーザにより入力された、少なくとも２つのユーザ識別情報を含む情報生成命令を受信するように構成され；
前記組み合わせユニットは、連続テキスト情報を入手するために、前記受信ユニットが受信した前記少なくとも２つのユーザ識別情報を所定の方法で組み合わせるように構成され、前記連続テキスト情報中の前記少なくとも２つのユーザ識別情報は分離文字列によって分離されており、前記分離文字列は予め定義された文字又は文字の組み合わせであり；
前記生成ユニットは、所定のアルゴリズムと、前記組み合わせユニットが入手した前記連続テキスト情報と、に基づいて、ターゲット情報を生成するように構成された；
情報生成装置。
【請求項１０】
前記組み合わせユニットは：
前記少なくとも２つのユーザ識別情報を所定の分類規則に基づいて分類し、かつ、
前記連続テキスト情報を入手するために、前記分類された少なくとも２つのユーザ識別情報を所定の方法で組み合わせるように構成されている、
請求項９に記載の情報生成装置。
【請求項１１】
前記ターゲット情報は画像情報又は音声情報を含む、
請求項９又は請求項１０に記載の情報生成装置。
【請求項１２】
認識ユニットと、解析ユニットとを備え；
前記認識ユニットは、連続テキスト情報を入手するために、予め生成されたターゲット情報を認識するように構成され、前記連続テキスト情報は、予め定義された文字又は文字の組み合わせである分離文字列によって分離された少なくとも２つのユーザ識別情報を含み、；
前記解析ユニットは、前記少なくとも２つのユーザ識別情報を入手するために、前記認識ユニットが入手した前記連続テキスト情報を解析するように構成されている；
情報取得装置。
【請求項１３】
前記解析ユニットは：
前記連続テキスト情報から前記分離文字列を除去するように構成され、前記分離文字列の除去後に得られた前記連続テキスト情報は少なくとも２つのサブテキスト情報を含み；
前記少なくとも２つのサブテキスト情報を、前記少なくとも２つのユーザ識別情報として用いるように構成されている、
請求項１２に記載の情報取得装置。
【請求項１４】
認識ユニットと、送信ユニットと、受信ユニットと、実行ユニットとを備え；
前記認識ユニットは、連続テキスト情報を入手するために、予め生成されたターゲット情報を認識するように構成され；
前記送信ユニットは、少なくとも２つのユーザ識別情報を入手するためにサーバが前記連続テキスト情報を解析できるように、前記認識ユニットが入手した前記連続テキスト情報を前記サーバへ送信するように構成され；
前記受信ユニットは、前記サーバから送信された前記少なくとも２つのユーザ識別情報を受信し、前記少なくとも２つのユーザ識別情報を表示するように構成され；
前記実行ユニットは、第２のユーザにより入力された情報に基づいて、対応する操作を前記少なくとも２つのユーザ識別情報に実行するように構成されている；
情報処理装置。
【請求項１５】
認識ユニットと、送信ユニットと、受信ユニットと、判定ユニットと、実行ユニットとを備え；
前記認識ユニットは、連続テキスト情報を入手するために、予め生成されたターゲット情報を認識するように構成され；
前記送信ユニットは、少なくとも２つのアカウント情報を入手するために決済サーバが前記連続テキスト情報を解析できるように、前記認識ユニットが入手した前記連続テキスト情報を前記決済サーバへ送信するように構成され；
前記受信ユニットは、前記決済サーバから送信された前記少なくとも２つのアカウント情報を受信し、前記少なくとも２つのアカウント情報を表示するように構成され；
前記判定ユニットは、決済者が入力した情報に基づいて、各々の前記アカウント情報に対応した決済金額を判定するように構成され；
前記実行ユニットは、前記判定ユニットにより判定され、各々の前記アカウント情報に対応した前記決済金額に基づいて、決済操作を実行するように構成されている；
決済クライアント。
【請求項１６】
前記決済者が入力した前記情報は、１つのアカウント情報に対応した第１の決済金額、及び、別のアカウント情報に対応する第２の決済金額の前記第１の決済金額に対する比；又は、各々の前記アカウント情報に対応した決済金額を含む、
請求項１５に記載の決済クライアント。
【発明の詳細な説明】
【技術分野】
【０００１】
本願は、２０１５年１１月２７日に出願された「情報生成方法及び装置、情報取得方法及び装置、情報処理方法及び装置、並びに決済方法及びクライアント」と題された中国特許出願第２０１５１０８４９１５４．２号の優先権を主張し、上記中国特許出願は参照によってその全体が本明細書に組み込まれる。
【０００２】
本願はコンピュータ技術の分野に関し、特には情報生成方法及び装置、情報取得方法及び装置、情報処理方法及び装置、並びに決済方法及びクライアントに関する。
【背景技術】
【０００３】
従来技術では、ユーザ識別情報を含むターゲット情報（例えば、画像情報又は音声情報）を生成することができる。インターネット技術の急速な発展に伴って、より高いサービスオペレーション実行効率が必要となっている。例えば、ユーザは、ターゲット情報を認識することでアカウント情報を入手するとき、１つの認識操作を実行することで２つのアカウントに対して決済したい場合がある。しかし、既存の技術では、ターゲット情報は１つのアカウントに関連した情報しか含むことができない。つまり、ユーザは、２つのアカウント情報を２つの認識操作を実行することで認識し、２つの決済操作を２つのアカウントを用いて別々に実行する必要があるので、サービス実行効率に影響を及ぼす可能性がある。
【０００４】
したがって、サービス実行効率を向上させるために、少なくとも２つのユーザ識別情報を含むターゲット情報を生成する方法と、ターゲット情報の認識方法とが必要である。
【発明の概要】
【０００５】
本願の実施は、サービスオペレーション実行効率を向上させるために、情報生成方法及び装置、情報取得方法及び装置、情報処理方法及び装置、並びに決済方法及びクライアントを提供する。
【０００６】
第１の側面では、情報生成方法を提供する。この情報生成方法は、第１のユーザにより入力された情報生成命令であって少なくとも２つのユーザ識別情報を含む情報生成命令を受信するステップと；前記少なくとも２つのユーザ識別情報を所定の方法で組み合わせて連続テキスト情報を入手するステップとを含み、前記連続テキスト情報中の前記少なくとも２つのユーザ識別情報は分離文字列によって分離され、前記分離文字列は予め定義された文字又は文字の組み合わせであり：所定のアルゴリズムと前記連続テキスト情報とに基づいて、ターゲット情報を生成するステップと；をさらに含む。
【０００７】
第２の側面では、情報取得方法を提供する。この情報取得方法は、予め生成されたターゲット情報を認識して、予め定義された文字又は文字の組み合わせである分離文字列によって分離された少なくとも２つのユーザ識別情報を含む連続テキスト情報を入手するステップと；前記連続テキスト情報を解析して前記少なくとも２つのユーザ識別情報を入手するステップと；を含む。
【０００８】
第３の側面では、情報処理方法を提供する。この情報処理方法は、予め生成されたターゲット情報を認識して連続テキスト情報を入手するステップと；少なくとも２つのユーザ識別情報を入手するためにサーバが前記連続テキスト情報を解析できるように、前記サーバへ前記連続テキスト情報を送信するステップと；前記サーバから送信された前記少なくとも２つのユーザ識別情報を受信し、前記少なくとも２つのユーザ識別情報を表示するステップと；第２のユーザにより入力された情報に基づいて、対応する操作を前記少なくとも２つのユーザ識別情報に実行するステップとを含む。
【０００９】
第４の側面では、決済方法を提供する。この決済方法は、予め生成されたターゲット情報を認識して連続テキスト情報を入手するステップと；少なくとも２つのアカウント情報を入手するために決済サーバが前記連続テキスト情報を解析できるように、前記連続テキスト情報を前記決済サーバへ送信するステップと；前記決済サーバから送信された前記少なくとも２つのアカウント情報を受信し、前記少なくとも２つのアカウント情報を表示するステップと；決済者により入力された情報に基づいて、各々の前記アカウント情報に対応した決済金額を判定するステップと；各々の前記アカウント情報に対応した前記決済金額に基づいて、決済操作を実行するステップと；を含む。
【００１０】
第５の側面では、情報生成装置を提供する。この情報生成装置は、受信ユニットと、組み合わせユニットと、生成ユニットとを含み、前記受信ユニットは、第１のユーザにより入力された、少なくとも２つのユーザ識別情報を含む情報生成命令を受信するように構成され；前記組み合わせユニットは、連続テキスト情報を入手するために、前記受信ユニットが受信した前記少なくとも２つのユーザ識別情報を所定の方法で組み合わせるように構成され、前記連続テキスト情報中の前記少なくとも２つのユーザ識別情報は分離文字列によって分離されており、前記分離文字列は予め定義された文字又は文字の組み合わせであり；前記生成ユニットは、所定のアルゴリズムと、前記組み合わせユニットが入手した前記連続テキスト情報と、に基づいて、ターゲット情報を生成するように構成されている。
【００１１】
第６の側面では、情報取得装置を提供する。この情報取得装置は、認識ユニットと解析ユニットとを含み；前記認識ユニットは、連続テキスト情報を入手するために、予め生成されたターゲット情報を認識するように構成され、前記連続テキスト情報は、予め定義された文字又は文字の組み合わせである分離文字列によって分離された少なくとも２つのユーザ識別情報を含み、；前記解析ユニットは、前記少なくとも２つのユーザ識別情報を入手するために、前記認識ユニットが入手した前記連続テキスト情報を解析するように構成されている。
【００１２】
第７の側面では、情報処理装置を提供する。この情報処理装置は、認識ユニットと、送信ユニットと、受信ユニットと、実行ユニットとを含み；前記認識ユニットは、連続テキスト情報を入手するために、予め生成されたターゲット情報を認識するように構成され；前記送信ユニットは、少なくとも２つのユーザ識別情報を入手するために前記サーバが前記連続テキスト情報を解析できるように、前記認識ユニットが入手した前記連続テキスト情報をサーバへ送信するように構成され；前記受信ユニットは、前記サーバから送信された前記少なくとも２つのユーザ識別情報を受信し、前記少なくとも２つのユーザ識別情報を表示するように構成され；前記実行ユニットは、第２のユーザにより入力された情報に基づいて、対応する操作を前記少なくとも２つのユーザ識別情報に実行するように構成されている。
【００１３】
第８の側面では、決済クライアントを提供する。この決済クライアントは、認識ユニットと、送信ユニットと、判定ユニットと、実行ユニットとを含み；前記認識ユニットは、連続テキスト情報を入手するために、予め生成されたターゲット情報を認識するように構成され；前記送信ユニットは、少なくとも２つのアカウント情報を入手するために決済サーバが前記連続テキスト情報を解析できるように、前記認識ユニットが入手した前記連続テキスト情報を前記決済サーバへ送信するように構成され；前記判定ユニットは、決済者が入力した情報に基づいて、各々の前記アカウント情報に対応した決済金額を判定するように構成され；前記実行ユニットは、前記判定ユニットにより判定され、各々の前記アカウント情報に対応した前記決済金額に基づいて、決済操作を実行するように構成されている。
【００１４】
本願で提供する情報生成方法及び装置、情報取得方法及び装置、情報処理方法及び装置、並びに決済方法及びクライアントによれば、生成方法は以下のステップ、すなわち、第１のユーザにより入力された少なくとも２つのユーザ識別情報を含む情報生成命令を受信するステップ；少なくとも２つのユーザ識別情報を所定の方法で組み合わせて連続テキスト情報を入手するステップであって、連続テキスト情報中の少なくとも２つのユーザ識別情報は分離文字列によって分離されており、分離文字列は予め定義された文字又は文字の組み合わせである、少なくとも２つのユーザ識別情報を所定の方法で組み合わせて連続テキスト情報を入手するステップ；及び、所定のアルゴリズム及び連続テキスト情報に基づいて、ターゲット情報を生成するステップ；を含む。すなわち、本願では、ターゲット情報は少なくとも２つのユーザ識別情報を含むので、ターゲット情報を認識することによりユーザ識別情報を入手する場合に、１つの認識操作を実行することで少なくとも２つのユーザ識別情報を入手でき、少なくとも２つのユーザ識別情報にサービスオペレーションを同時に実行することができる。これにより、少なくとも２つのユーザ識別情報にサービスオペレーションを実行する効率が向上する。
【図面の簡単な説明】
【００１５】
【図１】本願の実施による情報生成方法を示すフローチャートである。
【００１６】
【図２】本願の別の実施による情報取得方法を示すフローチャートである。
【００１７】
【図３】本願の更に別の実施による情報処理方法を示すフローチャートである。
【００１８】
【図４】本願の更に別の実施による決済方法のフローチャートである。
【００１９】
【図５】本願による決済クライアントのページ形式を示す概略図である。
【００２０】
【図６】本願の実施による情報生成装置を示す概略図である。
【００２１】
【図７】本願の別の実施による情報取得装置を示す概略図である。
【００２２】
【図８】本願の更に別の実施による情報処理装置を示す概略図である。
【００２３】
【図９】本願の更に別の実施による決済クライアントを示す概略図である。
【発明を実施するための形態】
【００２４】
本願の実施の目的、技術的解決策、利点をより明瞭にするために、本願の実施における技術的解決策を、本願の実施における添付の図面を参照しながらより明瞭且つ完全に以下説明する。当然ながら、ここに記載する実施は本願のすべての実施ではなく、そのいくつかに過ぎない。当業者が創造的な努力をせずに本願の実施に基づいて得たその他すべての実施は、本願の保護範囲に含まれる。
【００２５】
本願を理解し易くするために、添付の図面を参照して更に詳細に以下説明する。これらの実施は本願の実施を限定するものではない。
【００２６】
本願で提供する情報生成方法及び装置、情報取得方法及び装置、情報処理方法及び装置、並びに決済方法及びクライアントは、インターネットシステムにおいて少なくとも２つのユーザ識別情報を含むターゲット情報を生成するシナリオに適用できる。例えば、これらの情報生成方法及び装置、情報取得方法及び装置、情報処理方法及び装置、並びに決済方法及びクライアントは、決済システムにおいて少なくとも２つのユーザ識別情報を含む決済情報を生成するシナリオに適用できる。ここで、ユーザ識別情報は、アカウント情報、アカウント番号情報、銀行カード番号情報、又は、ユーザ識別（ユーザの同一性、ユーザＩＤ）を識別できるその他の情報を含んでよい。
【００２７】
決済システムは、決済クライアントと決済サーバとを含むことができる。決済クライアントは、ディスプレイインターフェース、画像認識装置、及び／又は音声認識装置を含むことができる。ディスプレイインターフェースは、決済クライアントサーバからの決済要求に対する決済サーバによる決済処理結果を表示できる。画像認識装置を用いて、連続テキスト情報（又は、文字列情報）を入手する目的で、画像情報を認識する、例えばＱＲコード（登録商標）又は暗号化されたＱＲコードを認識する。音声認識装置を用いて、連続テキスト情報（又は文字列情報）を入手する目的で、音声情報を認識する、例えば音波又は暗号化された音波を認識する。ここで、決済クライアントが、暗号化されたＱＲコード又は暗号化された音波を認識するように構成されている場合、決済クライアントは、対応する復号化機能を更に含むように構成できる。例えば、ＭＤ５暗号化アルゴリズムを用いて暗号化されたテキスト情報を復号化する機能を含むように構成できる。決済サーバは、少なくとも２つのユーザ識別情報を入手するために、決済クライアントから送信された連続テキスト情報を受信し、この連続テキスト情報を所定のアルゴリズムを用いて復号化するように構成されている。各ユーザ識別情報に対応した決済金額を、決済者により入力された決済金額と決済比とに基づいて判定できる、又は、決済注文における決済金額若しくは所定の比に基づいて判定できる。加えて、決済情報は画像情報（例えばＱＲコード）であっても音声情報（例えば音波）であってもよい。
【００２８】
図１は、本願の実施による情報生成方法を示すフローチャートである。この生成方法は、処理能力を有するデバイス、例えばサーバ、システム、装置、によって実行できる。図１に示すように、この生成方法は以下のステップを含むことができる。
【００２９】
ステップ１１０：第１のユーザにより入力された情報生成指示を受信する。この情報生成指示は、少なくとも２つのユーザ識別情報を含む。
【００３０】
ここで、決済取引において、第１のユーザは被決済者（受取人）又はマーチャント（商店）であってよく、ユーザ識別情報はアカウント情報、アカウント番号情報、銀行カード番号情報、又は、ユーザ識別（ユーザの同一性、ユーザＩＤ）を識別できるその他の情報を含んでよい。例えば、ユーザ識別情報はアカウント情報であり、生成されるターゲット情報はＱＲコードである。情報生成命令は、被決済者が決済システムの「アカウント詳細」におけるオプション「マイＱＲコード」をクリックすることによりトリガ（始動）できる。既存の決済システムでは、ただ１つのアカウント情報を含むＱＲコードしか生成できないため、被決済者のアカウント情報を編集できない点に留意することが重要である。本願の解決策を実施した場合には、「アカウント詳細」におけるアカウント情報を編集可能な状態に設定できる。そのため、被決済者はその他のアカウント情報を追加することができる。あるいは、「ＱＲコードを生成する」というオプション（選択肢）を決済システムに追加することもできる。被決済者は、このオプションに対応したページに少なくとも２つのアカウント情報を追加できる。このページでアカウント情報を編集した後に、「ＯＫ」ボタンをクリックすると、情報生成命令がトリガされる。
【００３１】
ユーザ識別情報が銀行カード番号、若しくはユーザの識別（ユーザの同一性）を識別できるその他の情報である場合、又は、生成されたターゲット情報がＱＲコード以外の画像情報若しくは音声情報を含む場合にも、上述と類似の方法で情報生成命令がトリガされる点に留意することが重要である。重複を避けるために、ここではその詳細を省く。
【００３２】
ステップ１２０：少なくとも２つのユーザ識別情報を所定の方法で組み合わせて連続テキスト情報を入手する。ここで、連続テキスト情報中の少なくとも２つのユーザ識別情報は分離文字列によって分離されており、分離文字列は予め定義された文字又は文字の組み合わせである。
【００３３】
ここで、分離文字列は、特殊文字「＃」「＊」「＜＞」「（．＊）」等、又はこれら特殊文字の組み合わせであり得る点に留意することが重要である。つまり、ここで述べる特殊文字は、ユーザ識別情報の形成には使えない任意の文字であり得る。
【００３４】
少なくとも２つのユーザ識別情報を所定の方法で組み合わせて連続テキスト情報を入手するステップは以下のステップを含むことができる。
【００３５】
ステップＡ：少なくとも２つのユーザ識別情報を所定の分類規則に基づいて分類する。
【００３６】
少なくとも２つのユーザ識別情報中にプライマリ（１番目の）ユーザ識別情報とセカンダリ（２番目の）ユーザ識別情報とがある場合には、所定の分類規則がプライマリユーザ識別情報をセカンダリユーザ識別情報より前に分類する。例えば、受信した情報生成命令が２つのアカウント情報を含み、この２つのアカウント情報がマーチャントアカウント情報とウェイタアカウント情報である場合には、所定の分類規則により、マーチャントアカウント情報がウェイタアカウント情報より前に分類される。
【００３７】
ステップＢ：分類された少なくとも２つのユーザ識別情報を所定の方法で組み合わせて連続テキスト情報を入手する。
【００３８】
例えば、ステップＢは、分類された少なくとも２つのユーザ識別情報を分離文字列を用いて組み合わせて連続テキスト情報を入手する。
【００３９】
先の実施例で述べたように、マーチャントアカウント情報はａ＠１６３．ｃｏｍであり、第１のウェイタのアカウント情報はｗａｉｔｅｒ１＠１６３．ｃｏｍであり、分離文字列は＃であると仮定すると、分離文字列を用いて２つの分類されたアカウント情報を組み合わせて得られる連続テキスト情報はａ＠１６３．ｃｏｍ＃ｗａｉｔｅｒ１＠１６３．ｃｏｍとなる。
【００４０】
先の実施例で述べたように、アカウント情報が第２のウェイタ「ｗａｉｔｅｒ２＠１６３．ｃｏｍ」を含むと仮定すると、第２のウェイタのアカウント情報と第１のウェイタのアカウント情報との間には連続関係がないことが分かる。分離文字列を用いて３つの分類されたアカウント情報を組み合わせて入手した連続テキスト情報は、ａ＠１６３．ｃｏｍ＃ｗａｉｔｅｒ１＠１６３．ｃｏｍ＃ｗａｉｔｅｒ２＠１６３．ｃｏｍ、又はａ＠１６３．ｃｏｍ＃ｗａｉｔｅｒ２＠１６３．ｃｏｍ＃ｗａｉｔｅｒ１＠１６３．ｃｏｍであり得る。当然ながら、用途によっては、複数のウェイタに優先順位を個別に決定できる。先の実施例で述べたように、第１のウェイタの優先順位が第２のウェイタの優先順位よりも高い場合には、連続テキスト情報ａ＠１６３．ｃｏｍ＃ｗａｉｔｅｒ１＠１６３．ｃｏｍ＃ｗａｉｔｅｒ２＠１６３．ｃｏｍが得られる。
【００４１】
ユーザアカウントの認識を促進するために、少なくとも２つのユーザ識別情報が分類される点に留意することが重要である。例えば、受信した連続テキスト情報がａ＠１６３．ｃｏｍ＃ｗａｉｔｅｒ１＠１６３．ｃｏｍである場合には、ａ＠１６３．ｃｏｍをマーチャントアカウント情報として直接認識でき、ｗａｉｔｅｒ１＠１６３．ｃｏｍをウェイタアカウント情報として認識できる。
【００４２】
ステップ１３０：所定のアルゴリズムと連続テキスト情報とに基づいてターゲット情報を生成する。
【００４３】
ここで、ターゲット情報は画像情報又は音声情報であってよい。例えば、決済システムでは、ターゲット情報はＱＲコード又は音波であってよい。
【００４４】
入手したターゲット情報がＱＲコードである場合には、従来技術で述べられているように、所定のアルゴリズムはＱＲコードを生成できる任意のアルゴリズムであってよい。入手したターゲット情報が音波である場合には、所定のアルゴリズムは、連続テキスト情報を所定の暗号化規則に基づいて暗号化し、この暗号化された連続テキスト情報を対応する音声周波数上の信号に変換できる任意のアルゴリズムであってよい。この例には、例えば、連続テキスト情報を、０〜７の８つの異なる音声周波数を用いて表すことができる８進データに変換し、入手したこの８進データを対応する音声周波数上の信号に変換するアルゴリズムがある。
【００４５】
決済取引において、ステップ１１０乃至ステップ１３０は決済システムによって実行できる点に留意することが重要である。
【００４６】
総じて言えば、先の実施にて提供された情報生成方法によれば、ターゲット情報は少なくとも２つのユーザ識別情報を含むことができる。これにより、ターゲット情報を認識することによりユーザ識別情報を入手する際に、少なくとも２つのユーザ識別情報を入手する効率を向上でき、その結果、この少なくとも２つのユーザ識別情報にサービスオペレーションを実行する効率が向上する。
【００４７】
図２は、本願の別の実施による情報取得方法を示すフローチャートである。この取得方法は、サーバ、システム、又は装置のような、処理能力を有するデバイスによって実行できる。図２に示すように、この取得方法は以下のステップを含むことができる。
【００４８】
ステップ２１０：予め生成されたターゲット情報を認識して少なくとも２つのユーザ識別情報を含む連続テキスト情報を入手する。ここで、少なくとも２つのユーザ識別情報は分離文字列によって分離されており、分離文字列は予め定義された文字又は文字の組み合わせである。
【００４９】
ここで、予め生成されたターゲット情報は、例えばＱＲコードのような写真情報であっても、例えば音波のような音声情報であってもよい。
【００５０】
決済システムでは、ステップ２１０は決済クライアントによって実行できる。例えば、予め生成されたターゲット情報がＱＲコードである場合には、決済クライアントにおいて「スキャン」機能を有効にすることで、予め生成されたＱＲコードを認識できる。当然ながら、別の適用シナリオでは、ステップ２１０を、代替的に、画像認識機能又は音声認識機能を有する別のシステム又は装置によって実行することができる。
【００５１】
好ましくは、連続テキスト情報中の少なくとも２つのユーザ識別情報が分類される。
【００５２】
ここで、分離文字列は特殊文字「＃」「＊」「＜＞」「（．＊）」等、又はこれら特殊文字の組み合わせであり得る。つまり、ここで述べる特殊文字は、ユーザ識別情報の形成に使えない任意の文字であり得る。加えて、少なくとも２つのユーザ識別情報中にプライマリユーザ識別情報とセカンダリユーザ識別情報とがある場合には、少なくとも２つのユーザ識別情報の順序を、プライマリユーザ識別情報がセカンダリユーザ識別情報より前にくるように決定できる。例えば、決済取引において、ユーザ識別情報がアカウント情報であり、２つのアカウント情報がマーチャントアカウント情報とウェイタアカウント情報である場合には、２つのアカウント情報の順序を、マーチャント情報がウェイタアカウント情報より前にくるように決定できる。
【００５３】
例えば、連続テキスト情報が２つのユーザ識別情報を含む場合、入手する連続テキスト情報はａ＠１６３．ｃｏｍ＃ｗａｉｔｅｒ１＠１６３．ｃｏｍであり得る。しかし、連続テキスト情報が少なくとも２つの（例えば３つの）ユーザ識別情報を含む場合には、入手する連続テキスト情報はａ＠１６３．ｃｏｍ＃ｗａｉｔｅｒ２＠１６３．ｃｏｍ＃ｗａｉｔｅｒ１＠１６３．ｃｏｍであり得る。
【００５４】
ステップ２２０：連続テキスト情報を解析して少なくとも２つのユーザ識別情報を得る。
【００５５】
ステップ２２０における少なくとも２つのユーザ識別情報を得るための連続テキスト情報の解析は、以下のステップを含むことができる：
【００５６】
ステップＸ：連続テキスト情報から分離文字列を除去する。ここで、分離文字列を除去した後の連続テキスト情報は、少なくとも２つのサブテキスト情報を含む。
【００５７】
先の実施例で述べたように、連続テキスト情報ａ＠１６３．ｃｏｍ＃ｗａｉｔｅｒ１＠１６３．ｃｏｍから特殊文字「＃」を除去すると、２つのサブテキスト情報、つまりａ＠１６３．ｃｏｍとｗａｉｔｅｒ１＠１６３．ｃｏｍとが得られる。連続テキスト情報ａ＠１６３．ｃｏｍ＃ｗａｉｔｅｒ２＠１６３．ｃｏｍ＃ｗａｉｔｅｒ１＠１６３．ｃｏｍから特殊文字「＃」を除去すると、３つのサブテキスト情報、つまりａ＠１６３．ｃｏｍ、ｗａｉｔｅｒ１＠１６３．ｃｏｍ、及びｗａｉｔｅｒ２＠１６３．ｃｏｍが得られる。
【００５８】
ステップＹ：少なくとも２つのサブテキスト情報を、少なくとも２つのユーザ識別情報として用いる。
【００５９】
先の実施例で述べたように、ａ＠１６３．ｃｏｍとｗａｉｔｅｒ１＠１６３．ｃｏｍを２つのアカウント情報として用いることができる、又は、ａ＠１６３．ｃｏｍ、ｗａｉｔｅｒ１＠１６３．ｃｏｍ、ｗａｉｔｅｒ２＠１６３．ｃｏｍを３つのアカウント情報として用いることができる。
【００６０】
加えて、少なくとも２つのユーザ識別情報を分類する場合、少なくとも２つのユーザ情報を所定の分類規則に基づいて解析できる点に留意することが重要である。例えば、分離文字列が除去されていない連続テキスト情報中の少なくとも２つのユーザ識別情報の分類規則は、マーチャントアカウント情報をウェイタアカウント情報より前に分類するというものであり得る。そのため、ａ＠１６３．ｃｏｍとｗａｉｔｅｒ１＠１６３．ｃｏｍとを解析し、両者をマーチャントアカウント情報と第１のウェイタのアカウント情報として用いることができる。優先順位がない場合には、ａ＠１６３．ｃｏｍ、ｗａｉｔｅｒ１＠１６３．ｃｏｍ、及びｗａｉｔｅｒ２＠１６３．ｃｏｍを解析して、マーチャントアカウント情報、第１のウェイタのアカウント情報、及び第２のウェイタのアカウント情報として用いる、又は、解析して、マーチャントアカウント情報、第２ウェイタのアカウント情報、及び第１ウェイタのアカウント情報として用いることができる。しかし、優先順位がある場合、又、第１のウェイタの優先順位が第２のウェイタの優先順位よりも高いと仮定した場合には、ａ＠１６３．ｃｏｍ、ｗａｉｔｅｒ１＠１６３．ｃｏｍ及びｗａｉｔｅｒ２＠１６３．ｃｏｍを解析し、マーチャントアカウント情報、第１のウェイタのアカウント情報、及び第２のウェイタのアカウント情報として用いることができる。
【００６１】
総じて言えば、先の実施で提供した情報取得方法によれば、少なくとも２つのユーザ識別情報は１つの認識操作を実行することで入手できる。これにより、ターゲット情報を認識することによりユーザ識別情報を入手する際に少なくとも２つのユーザ識別情報を入手する効率を向上でき、その結果、少なくとも２つのユーザ識別情報にサービスオペレーションを実行する効率が向上する。
【００６２】
図３は、本願のさらに別の実施による情報処理方法を示すフローチャートである。この処理方法は、サーバ、システム、又は装置のような、処理能力を有するデバイスによって実行できる。図３に示すように、情報処理方法は以下のステップを含むことができる。
【００６３】
ステップ３１０：予め生成されたターゲット情報を認識して連続テキスト情報を入手する。
【００６４】
この実施では、例えば、予め生成されたターゲット情報はＱＲコードである。決済者若しくは友達を追加する側のパーティがＱＲコードをスキャンできるようにするために、被決済者の決済システム又はピアインスタントメッセージングソフトウェア（例えば、ウィーチャット又はＱＱ）によりＱＲコードを生成できるようになっている。
【００６５】
例えば、決済者が被決済者に対して決済する場合、被決済者が生成したＱＲコードを決済クライアントの「スキャン」機能を用いて認識することで、連続テキスト情報を入手できる。
【００６６】
別の実施例では、１つのパーティが友達リストに別のパーティを追加する場合に、この別のパーティが生成したＱＲコードをインスタントメッセージングソフトウェアのクライアントの「スキャン」機能を用いて認識して連続テキスト情報を入手する。
【００６７】
例えば、連続テキスト情報が分離文字列「＃」を用いて組み合わされた３つのアカウント情報を含む場合には、連続テキスト情報はａ＠１６３．ｃｏｍ＃ｗａｉｔｅｒ１＠１６３．ｃｏｍ＃ｗａｉｔｅｒ２＠１６３．ｃｏｍであり得る。
【００６８】
ステップ３２０：少なくとも２つのユーザ識別情報を入手するためにサーバが連続テキスト情報を解析できるように、連続テキスト情報をサーバへ送信する。
【００６９】
先の第１の実施例で述べたように、連続テキスト情報の入手後に、決済クライアントは連続テキスト情報を決済サーバへ送信できる。決済サーバは、連続テキスト情報を受信すると、ステップ２２０の解析方法を用いて連続テキスト情報を解析して、３つのアカウント情報、すなわちａ＠１６３．ｃｏｍ、ｗａｉｔｅｒ１＠１６３．ｃｏｍ、及びｗａｉｔｅｒ２＠１６３．ｃｏｍを入手し、次に、所定の分類規則と優先順位とに基づいて、この３つのアカウント情報をマーチャントアカウント情報、第１のウェイタのアカウント情報、及び第２のウェイタのアカウント情報であると認識できる。
【００７０】
先の実施例で述べたように、連続テキスト情報の入手後に、インスタントメッセージングソフトウェアのクライアントが、入手した連続テキスト情報を、対応するサーバへ送信できる。又は、連続テキスト情報の入手後に、インスタントメッセージングソフトウェアのサーバが、ステップ２２０の解析方法を用いて連続テキスト情報を解析し、３つのアカウント番号情報、すなわちｘｘｘ１２３、１２３４５６７８００１、及び４９７７７００６６を入手できる。
【００７１】
ステップ３３０：サーバから送信された少なくとも２つのユーザ識別情報を受信し、この少なくとも２つのユーザ識別情報を表示する。
【００７２】
先の実施例で述べたように、３つのアカウント情報の受信後に、決済クライアントが、マーチャントアカウント情報と、２人のウェイタの関連情報（例えば、アバター）とを表示でき、ターゲットのウェイタ及びターゲットのウェイタのアカウント情報を、選択命令に基づいて一意に判定できる。ここで、決済サーバは、ターゲットのウェイタとターゲットのウェイタのアカウント情報との間のマッピング関係を記憶ユニットに予め記憶できる。
【００７３】
先の実施例で述べたように、インスタントメッセージングソフトウェアのクライアントは、３つのアカウント番号情報の受信後にこの３つのアカウント番号情報を表示でき、更に、３つのアカウント番号情報の関連情報、例えばアバターや所在地域、を表示できる。
【００７４】
ステップ３４０：第２のユーザが入力した情報に基づいて、少なくとも２つのユーザ識別情報に対応する操作を実行する。
【００７５】
先の実施例で述べたように、第２のユーザは決済者であってよい。決済クライアントは、マーチャントアカウント情報に対応した第１の決済金額と、決済者が入力した第１の決済金額に対する、ウェイタアカウント情報に対応した第２の決済金額の比；又は、各アカウント情報に対応した決済金額を受信できる。決済者が入力した情報を受信した後に、決済クライアントはこの情報を決済サーバへ送信できる。決済サーバは、受信した情報に基づいて、各アカウント情報に対応した決済金額を判定する。各アカウント情報に対応した決済金額の判定後に、決済サーバは、判定した各アカウント情報に対応した決済金額に基づいて、又は各アカウント情報に対応した最終的な決済金額に基づいて、決済操作を実行する。したがって、ターゲット情報を認識することでアカウント情報を入手する場合、１つの認識操作を実行することにより少なくとも２つのアカウント情報を入手し、この少なくとも２つのアカウント情報に対して同時に決済操作を実行する。このため、少なくとも２つのアカウント情報に決済操作を実行する効率が向上する。
【００７６】
先の実施例で述べたように、第２のユーザは友達を追加するパーティであり得る。第２のユーザが入力した情報は、友達リストに特定のアカウント番号情報を追加する命令であり得、友達リストに特定のアカウント番号情報を追加することを止める命令であり得る。
【００７７】
図４は、本願のさらに別の実施による決済方法を示すフローチャートである。この決済方法は、サーバ、システム、又は装置のような、処理能力を有するデバイス、例えば決済クライアント、によって実行できる。図４に示すように、この決済方法は以下のステップを含むことができる。
【００７８】
ステップ４１０：予め生成されたターゲット情報を認識して連続テキスト情報を入手する。
【００７９】
この実施では、例えば、予め生成されたターゲット情報はＱＲコードである。ＱＲコードは、被決済者が決済システムを用いて生成できる。決済者によるＱＲコードのスキャンを補助するために、被決済者はＱＲコードを印刷して、店舗の壁やレジ付近のカウンタのような場所に貼っておくことができる。
【００８０】
決済者が被決済者に対して決済する際に、決済者は、決済クライアントの「スキャン」機能を用いて、店舗の壁やレジ付近の場所にある印刷されたＱＲコードを認識することができ、連続テキスト情報を入手することができる。
【００８１】
例えば、連続テキスト情報が分離文字列「＃」を用いて組み合わせた３つのアカウント情報を含む場合、連続テキスト情報はａ＠１６３．ｃｏｍ＃ｗａｉｔｅｒ１＠１６３．ｃｏｍ＃ｗａｉｔｅｒ２＠１６３．ｃｏｍであり得る。
【００８２】
ステップ４２０：少なくとも２つのアカウント情報を入手するために決済サーバが連続テキスト情報を解析できるように、連続テキスト情報を決済サーバに送信する。
【００８３】
連続テキスト情報の入手後に、決済クライアントは連続テキスト情報を決済サーバへ送信できる。連続テキスト情報の受信後に、決済サーバは、ステップ２２０の解析方法を用いて連続テキスト情報を解析し、３つのアカウント情報、すなわちａ＠１６３．ｃｏｍ、ｗａｉｔｅｒ１＠１６３．ｃｏｍ、及びｗａｉｔｅｒ２＠１６３．ｃｏｍを入手し、これら３つのアカウント情報がマーチャントアカウント情報、第１のウェイタのアカウント情報、及び第２のウェイタのアカウント情報であることを、所定の分類規則と優先順位とに基づいて認識できる。
【００８４】
ステップ４３０：決済サーバから送信された少なくとも２つのアカウント情報を受信し、この少なくとも２つのアカウント情報を表示する。
【００８５】
先の実施例で述べたように、３つのアカウント情報の受信後に、決済クライアントは図５に示すページを表示できる。このページはディスプレイインターフェースを用いて表示でき、２つの範囲、すなわちマーチャント範囲及びチップエリア（心付け範囲）、を含むことができる。マーチャント範囲はマーチャントアカウント情報を表示し、チップエリアは２人のウェイタに関連する情報（例えば、アバタ）を、ドロップダウンボックスを用いて表示する。決済クライアントはドロップダウンボックスから選択命令を受信し、受信した選択命令を決済サーバへ送信できる。決済サーバは、ターゲットのウェイタとターゲットのウェイタのアカウント情報とを一意に判定できる。加えて、決済サーバは、ターゲットのウェイタとターゲットのウェイタのアカウント情報との間のマッピング関係を記憶ユニットに予め記憶できる。
【００８６】
ステップ４４０：各アカウント情報に対応した決済金額を、決済者が入力した情報に基づいて判定する。
【００８７】
決済者が入力する情報には以下のものが含まれる。すなわち、１つのアカウント情報に対応した第１の決済金額と、第１の決済金額以外のアカウント情報に対応した第２の決済金額の比；又は、各アカウント情報に対応した決済金額。
【００８８】
図５では、決済クライアントは、マーチャントアカウント情報に対応した決済金額をマーチャント範囲内のテキストボックスを介して受信でき、更に、決済者が決済比又は決済金額を入力したかどうかを、チップエリア内のラジオボタンを用いて判定できる。決済金額を入力する命令が受信され、決済サーバへ送信されると、決済サーバは、決済金額に対応したテキストボックスより受信した決済金額に基づいて、各アカウント情報に対応した決済金額を直接判定できる。決済比を入力する命令が受信され、決済サーバへ送信されると、決済サーバは、決済比に対応するテキストボックスより受信した比と、マーチャントエリア内の決済金額とに基づいて、各アカウント情報に対応した決済金額を判定できる。
【００８９】
当然ながら、特定の用途では、図５中のチップエリアにあるラジオボタンを含むことはできず、比の値は決済サーバにより予め判定される。決済クライアントから送信されたマーチャントアカウント情報に対応した決済金額を受信するときに、決済サーバが、マーチャントアカウント情報に対応した決済金額と所定の比の値とに基づいて、各アカウント情報に対応する金額を判定する。又は、決済者が入力した各アカウント情報に対応する決済金額を直接受信する場合には、決済サーバはシェア（分担率）を予め設定することができる。つまり、シェアは、ウェイタのアカウントに対応した決済金額とシェアとに基づいて判定される。その後、このシェアをマーチャントのアカウントに対応した決済金額に追加して、マーチャントのアカウントに対応した最終的な決済金額を入手する。更に、このシェアをウェイタのアカウントに対応した決済金額から減算して、ウェイタのアカウントに対応した最終的な決済金額を入手する。
【００９０】
加えて、チップ（心付け）を複数のウェイタに支払う場合は、図４のショッピング範囲に１つ以上のドロップダウンボックスを更に追加できる点に留意することが重要である。その他のウェイタと、これらその他のウェイタのアカウント情報が、この追加されたドロップダウンボックスより受信した選択命令に基づいて判定される。
【００９１】
ステップ４５０：各アカウント情報に対応した決済金額に基づいて、決済操作を実行する。
【００９２】
各アカウント情報に対応した決済金額の判定後に、決済サーバは、判定した各アカウント情報に対応する決済金額、又は、各アカウント情報に対応する最終的な決済金額に基づいて、決済操作を実行する。したがって、ターゲット情報を認識することによりアカウント情報を入手する場合、１つの認識操作を実行することによって少なくとも２つのアカウント情報を入手し、更に、少なくとも２つのアカウント情報に決済操作を同時に実行する。これにより、少なくとも２つのアカウント情報に決済操作を実行する効率が向上する。
【００９３】
情報生成方法に対応して、本願の１つの実施は情報生成装置を更に提供する。図６に示すように、生成装置は受信ユニット６０１、組み合わせユニット６０２、及び生成ユニット６０３を含む。
【００９４】
受信ユニット６０１は、第１のユーザが入力した情報生成命令を受信するように構成されており、情報生成命令は少なくとも２つのユーザ識別情報を含む。
【００９５】
組み合わせユニット６０２は、連続テキスト情報を入手するために、受信ユニット６０１が受信した少なくとも２つのユーザ識別情報を所定の方法で組み合わせるように構成されている。ここで、連続テキスト情報中の少なくとも２つのユーザ識別情報は分離文字列によって分離されており、分離文字列は予め定義された文字又は文字の組み合わせである。
【００９６】
組み合わせユニット６０２は、連続テキスト情報を入手するために、少なくとも２つのユーザ識別情報を所定の分類規則に基づいて分類し、分類された少なくとも２つのユーザ識別情報を所定の方法で組み合わせるように構成されている。
【００９７】
生成ユニット６０３は、所定のアルゴリズムと、組み合わせユニット６０２により入手した連続テキスト情報とに基づいて、ターゲット情報を生成するように構成されている。
【００９８】
ターゲット情報は画像情報又は音声情報を含む。
【００９９】
本願のこの実施における装置の各機能モジュールの機能は、先の方法の実施におけるステップを用いて実施できる。そのため、重複を避けるべく、ここでは本願で提供される本装置の特定の操作工程を省略する。
【０１００】
本願のこの実施で提供される情報生成装置によれば、受信ユニット６０１が、第１のユーザが入力した、少なくとも２つのユーザ識別情報を含んだ情報生成命令を受信する。組み合わせユニット６０２が、少なくとも２つのユーザ識別情報を所定の方法で組み合わせて、連続テキスト情報を得る。ここで、連続テキスト情報中の少なくとも２つのユーザ識別情報は分離文字列によって分離されており、分離文字列は予め定義された文字又は文字の組み合わせである。生成ユニット６０３が、所定のアルゴリズムと連続テキスト情報とに基づいて、ターゲット情報を生成する。したがって、ターゲット情報は少なくとも２つのユーザ識別情報を含んでいてよい。これは、ターゲット情報を認識することによりユーザ識別情報を入手する場合に、少なくとも２つのユーザ識別情報を入手する効率を向上させることができる。これにより、少なくとも２つのユーザ識別情報にサービスオペレーションを実行する効率が向上する。
【０１０１】
情報取得方法に対応して、本願の実施は情報取得装置を更に提供する。図７に示すように、取得装置は認識ユニット７０１と解析ユニット７０２とを含む。
【０１０２】
認識ユニット７０１は、連続テキスト情報を入手するために、予め生成されたターゲット情報を認識するように構成されている。ここで、連続テキスト情報は少なくとも２つのユーザ識別情報を含み、少なくとも２つのユーザ識別情報が分離文字列によって分離されており、分離文字列は予め定義された文字又は文字の組み合わせである。
【０１０３】
解析ユニット７０２は、少なくとも２つのユーザ識別情報を入手するために、認識ユニット７０１が入手した連続テキスト情報を解析するように構成されている。
【０１０４】
解析ユニット７０２は：連続テキスト情報から分離文字列を除去するように構成されていて、分離文字列の除去後に得られる連続テキスト情報は少なくとも２つのサブテキスト情報を含むように；そして、少なくとも２つのサブテキスト情報を少なくとも２つのユーザ識別情報として用いるように構成されている。
【０１０５】
本願のこの実施における本装置の各機能モジュールの機能は、先に述べた方法の実施におけるステップを用いて実施できる。そのため、重複を避けるべく、ここでは本願で提供する本装置の特定の操作工程を省略する。
【０１０６】
本願のこの実施で提供する情報取得装置によれば、連続テキスト情報を入手するために、認識ユニット７０１が予め生成されたターゲット情報を認識する。ここで、連続テキスト情報は少なくとも２つのユーザ識別情報を含み、少なくとも２つのユーザ識別情報は分離文字列によって分離されており、分離文字列は予め定義された文字又は文字の組み合わせである。更に、少なくとも２つのユーザ識別情報を入手するために、解析ユニット７０２が連続テキスト情報を解析する。したがって、少なくとも２つのユーザ識別情報は、１つの認識操作を実行することにより入手できる。これは、ターゲット情報を認識することによりユーザ識別情報を入手する場合に、少なくとも２つのユーザ識別情報を入手する効率を向上させることができる。これにより、少なくとも２つのユーザ識別情報にサービスオペレーションを実行する効率が向上する。
【０１０７】
情報処理方法に対応し、本願の実施は情報処理装置を更に提供する。図８に示すように、この処理装置は認識ユニット８０１、送信ユニット８０２、受信ユニット８０３、及び実行ユニット８０４を含む。
【０１０８】
認識ユニット８０１は、連続テキスト情報を入手するために、予め生成されたターゲット情報を認識するように構成されている。
【０１０９】
送信ユニット８０２は、少なくとも２つのユーザ識別情報を入手するためにサーバが連続テキスト情報を解析できるように、認識ユニット８０１が入手した連続テキスト情報をサーバへ送信するように構成されている。
【０１１０】
受信ユニット８０３は、サーバから送信された少なくとも２つのユーザ識別情報を受信し、この少なくとも２つのユーザ識別情報を表示するように構成されている。
【０１１１】
実行ユニット８０４は、第２のユーザが入力した情報に基づいて、少なくとも２つのユーザ識別情報に対して対応の操作を実行するように構成されている。
【０１１２】
本願のこの実施における本装置の各機能モジュールの機能は、先に述べた方法の実施におけるステップを用いて実施できる。そのため、ここでは本願で提供する本装置の特定の操作工程について記載しない。
【０１１３】
本願のこの実施で提供する情報処理装置によれば、認識ユニット８０１が、連続テキスト情報を入手するために、予め生成されたターゲット情報を認識する。送信ユニット８０２が、少なくとも２つのユーザ識別情報を入手するために、連続テキスト情報をサーバへ送信して、サーバが連続テキスト情報を解析できるようにする。受信ユニット８０３が、サーバから送信された少なくとも２つのユーザ識別情報を受信し、この２つのユーザ識別情報を表示する。実行ユニット８０４は、第２のユーザが入力した情報に基づいて、少なくとも２つのユーザ識別情報に対応した操作を実行するように構成されている。そのため、ターゲット情報を認識することでユーザ識別情報を入手する場合、１つの認識操作を実施することで少なくとも２つのユーザ識別情報を入手し、対応する操作を少なくとも２つのユーザ識別情報に実行する。これにより、少なくとも２つのユーザ識別情報にサービスオペレーションを実行する効率が向上する。
【０１１４】
決済方法に対応して、本願の実施は決済クライアントを更に提供する。図９に示すように、決済クライアントは認識ユニット９０１、送信ユニット９０２、受信ユニット９０３、判定ユニット９０４、及び実行ユニット９０５を含む。
【０１１５】
認識ユニット９０１は、連続テキスト情報を入手するために、予め生成されたターゲット情報を認識するように構成されている。
【０１１６】
送信ユニット９０２は、少なくとも２つのアカウント情報を入手するために決済サーバが連続テキスト情報を解析できるように、認識ユニット９０１が入手した連続テキスト情報を決済サーバへ送信するように構成されている。
【０１１７】
受信ユニット９０３は、決済サーバから送信された少なくとも２つのアカウント情報を受信し、この少なくとも２つのアカウント情報を表示するように構成されている。
【０１１８】
判定ユニット９０４は、決済者が入力した情報に基づいて、各アカウント情報に対応した決済金額を判定するように構成されている。
【０１１９】
決済者が入力する情報には以下のものが含まれる。すなわち、アカウント情報に対応した第１の決済金額、及び、他のアカウント情報に対応した第２の決済金額と第１の決済金額との比；又は、各アカウント情報に対応した決済金額。
【０１２０】
実行ユニット９０５は、判定ユニット９０４により判定された、各アカウント情報に対応した決済金額に基づいて、決済操作を実行するように構成されている。
【０１２１】
本願のこの実施における本装置の各機能モジュールの機能は、先に述べた方法の実施におけるステップを用いて実施できる。そのため、ここでは本願で提供する本装置の特定の操作工程について記載しない。
【０１２２】
本願のこの実施で提供する決済クライアントによれば、認識ユニット９０１が、連続テキスト情報を入手するために、予め生成されたターゲット情報を認識する。送信ユニット９０２が、少なくとも２つのアカウント情報を入手するために、連続テキスト情報を決済サーバへ送信して、決済サーバが連続テキスト情報を解析できるようにする。受信ユニット９０３が、決済サーバから送信された少なくとも２つのアカウント情報を受信し、この２つのアカウント情報を表示する。判定ユニット９０４が、決済者が入力した情報に基づいて、各アカウント情報に対応した決済金額を判定する。実行ユニット９０５が、各アカウント情報に対応した決済金額に基づいて、決済操作を実行する。そのため、ターゲット情報を認識することによりアカウント識別情報を入手する場合、１つの認識操作を実施することで少なくとも２つのアカウント識別情報を入手し、対応の操作を少なくとも２つのアカウント識別情報に同時に実行する。これにより、少なくとも２つのアカウント情報に決済操作を実行する効率が向上する。
【０１２３】
当業者は、オブジェクト及びアルゴリズムステップを、電子ハードウェア、コンピュータソフトウェア、又は電子ハードウェアとコンピュータソフトウェアとの組み合わせによって実施できることを、本明細書で開示した実施にて述べた実施例との組み合わせにおいて更に理解できよう。ハードウェアとソフトウェア間の互換性を明瞭に説明するために、先の説明では、各実施例の構造とステップとを、機能に基づいて総体的に述べた。機能がハードウェアとソフトウェアのどちらによって実行されるかは、技術的解決策の特定の用途及び設計の制約条件に依存する。当業者は、特定の各用途について述べられた機能を種々の方法を用いて実施できるが、そのような実施は本願の範囲を超えるとしてみなされるべきではない。
【０１２４】
本明細書に開示する実施で述べている方法ステップ又はアルゴリズムステップは、ハードウェア、プロセッサにより実行されるソフトウェアモジュール、又は、ハードウェアとソフトウェアモジュールの組み合わせによって実施することができる。ソフトウェアモジュールは、ランダムアクセスメモリ（ＲＡＭ）、メモリ、読み出し専用メモリ（ＲＯＭ）、電気的プログラム可能なＲＯＭ、電気的消去可能でプログラム可能なＲＯＭ、レジスタ、ハードディスク、リムーバブルディスク、ＣＤ−ＲＯＭの内部に、又は当技術分野で周知の任意の他の形態の記憶媒体の内部に常駐させることができる。
【０１２５】
先の詳細な説明では、本願の目的、技術的解決策、恩恵を更に詳細に述べた。先の記載は本願の実施に過ぎず、本願の保護範囲を限定するものではない。本願の主旨及び原理から逸脱することなくなされたあらゆる修正も、均等物との代替も、改良も、本願の保護範囲に含まれるものとする。
【符号の説明】
【０１２６】
６０１  受信ユニット
６０２  組み合わせユニット
６０３  生成ユニット
７０１  認識ユニット
７０２  解析ユニット
８０１  認識ユニット
８０２  送信ユニット
８０３  受信ユニット
８０４  実行ユニット
９０１  認識ユニット
９０２  送信ユニット
９０３  受信ユニット
９０４  判定ユニット
９０５  実行ユニット
【図１】
2018536939.tif 000003
【図２】
2018536939.tif 000004
【図３】
2018536939.tif 000005
【図４】
2018536939.tif 000006
【図５】
2018536939.tif 000007
【図６】
2018536939.tif 000008
【図７】
2018536939.tif 000009
【図８】
2018536939.tif 000010
【図９】
2018536939.tif 000011
【国際調査報告】
2018536939.tif 000012
2018536939.tif 000013
2018536939.tif 000014
2018536939.tif 000015